(57)【要約】【課題】  ユーザの手間を減らして大量のデータを容易に利用できるようにすると共に、機種交換時のデータ移行作業を無くすことができる携帯電話機及び携帯電話システムを提供する。【解決手段】  ネットワークに接続するための通信手段を備えた処理装置と、処理結果を表示するためのディスプレイと、ユーザの要求やデータを入力するための入力装置と、入力装置から入力されたユーザからの要求にしたがって、ネットワークを介してアクセス可能な外部の記憶装置に対するデータの書き込み及び読み出し処理を処理装置に実行させ、その処理結果をディスプレイに表示する、携帯電話機の機種に依存しない共通のユーザインターフェイスである仮想ユーザインターフェイス部とを有する構成とする。【選択図】  図１
2005322973.tif 000002
【特許請求の範囲】
【請求項１】
ネットワークに接続するための通信手段を備えた処理装置と、
処理結果を表示するためのディスプレイと、
ユーザの要求やデータを入力するための入力装置と、
前記入力装置から入力された前記ユーザからの要求にしたがって、前記ネットワークを介してアクセス可能な外部の記憶装置に対するデータの書き込み及び読み出し処理を前記処理装置に実行させ、その処理結果を前記ディスプレイに表示する、携帯電話機の機種に依存しない共通のユーザインターフェイスである仮想ユーザインターフェイス部と、
を有する携帯電話機。
【請求項２】
前記処理装置は、
プログラムにしたがって処理を実行するＣＰＵを備え、
前記仮想ユーザインターフェイス部は、
携帯電話機の機種に依存しない共通のプログラム言語で作成されたプログラムによる前記ＣＰＵの処理で実現される請求項１記載の携帯電話機。
【請求項３】
請求項１または２記載の携帯電話機と、
前記携帯電話機から前記ネットワークを介して送信されたデータを蓄積する外部記憶装置と、
前記外部記憶装置に対する前記データの書き込み及び読み出しを制御する、前記携帯電話機と前記ネットワークを介して接続される外部処理装置と、
を有する携帯電話システム。
【発明の詳細な説明】
【技術分野】
【０００１】
本発明は、携帯電話機及び該携帯電話機からネットワークを介してアクセス可能な外部記憶装置を備えた携帯電話システムに関する。
【背景技術】
【０００２】
近年の携帯電話機は、日毎に進歩しており、様々な機能が追加されている。特に、画像、音楽、動画等のマルチメディアデータを扱う機能の発達は目覚しいものがある。
【０００３】
しかしながら、マルチメディアデータは、扱うデータ量が非常に大きくなるため、小容量の記憶装置しか搭載できない携帯電話機では大量のデータを扱うことが困難な場合が多い。そこで、ネットワーク上に大容量の外部記憶装置を配置し、携帯電話機から該外部記憶装置を利用できるようにすることで、携帯電話機による大量データの管理を可能にするサービスが知られている（例えば、特許文献１及び特許文献２参照）。
【０００４】
このようなサービスを利用するユーザは、携帯電話機からネットワークを通して外部記憶装置へ任意のデータを送信して格納しておき、必要なときに所望のデータを該外部記憶装置からダウンロードすることで、携帯電話機内の記憶容量を考慮することなく、マルチメディアデータ等を再生して楽しむことができる。
【特許文献１】特開２００３−２０４３７３号公報
【特許文献２】特開２００３−２５９２７３号公報
【発明の開示】
【発明が解決しようとする課題】
【０００５】
しかしながら、上記したような従来の携帯電話システムでは、外部記憶装置に保存されたデータをユーザが実際に利用できるまでには、携帯電話機をネットワークに接続して外部記憶装置へアクセスし、該外部記憶装置内を検索して所望のデータを読み出し、読み出したデータをダウンロードし、ダウンロードしたデータを携帯電話機内の記憶装置に格納するという多くの手順を必要とする。そのため、ユーザにとって手間が多く使い難いという問題がある。
【０００６】
一方、携帯電話機の急激な進歩に伴って、ユーザは携帯電話機をしばしば新しいものに交換するが、その場合、交換前の携帯電話機内のデータを新しい携帯電話機へ移行させることが多い。データを移行するには、例えば交換前の携帯電話機のデータをパーソナルコンピュータ等の情報処理装置へ一旦格納し、該情報処理装置から新しい携帯電話機に同データを転送する方法等が考えられる。
【０００７】
しかしながら、携帯電話機内のデータには、使用機種の機能に依存したデータや外部への移動が不可能なデータ等が存在するため、新しい携帯電話機へ全てのデータを移行することは困難な場合が多い。そのため、ユーザは、データの移行を断念したり、手作業により新しい携帯電話機にデータを入力し直す必要があった。
【０００８】
本発明は上記したような従来の技術が有する問題点を解決するためになされたものであり、ユーザの手間を減らして大量のデータを容易に利用できるようにすると共に、機種交換時のデータ移行作業を無くすことができる携帯電話機及び携帯電話システムを提供することを目的とする。
【課題を解決するための手段】
【０００９】
上記目的を達成するため本発明の携帯電話機は、ネットワークに接続するための通信手段を備えた処理装置と、
処理結果を表示するためのディスプレイと、
ユーザの要求やデータを入力するための入力装置と、
前記入力装置から入力された前記ユーザからの要求にしたがって、前記ネットワークを介してアクセス可能な外部の記憶装置に対するデータの書き込み及び読み出し処理を前記処理装置に実行させ、その処理結果を前記ディスプレイに表示する、携帯電話機の機種に依存しない共通のユーザインターフェイスである仮想ユーザインターフェイス部と、
を有する構成である。
【００１０】
このとき、
前記処理装置は、
プログラムにしたがって処理を実行するＣＰＵを備え、
前記仮想ユーザインターフェイス部は、
携帯電話機の機種に依存しない共通のプログラム言語で作成されたプログラムによる前記ＣＰＵの処理で実現される構成が望ましい。
【００１１】
一方、本発明の携帯電話システムは、上記携帯電話機と、
前記携帯電話機から前記ネットワークを介して送信されたデータを蓄積する外部記憶装置と、
前記外部記憶装置に対する前記データの書き込み及び読み出しを制御する、前記携帯電話機と前記ネットワークを介して接続される外部処理装置と、
を有する構成である。
【発明の効果】
【００１２】
上記のように構成された携帯電話機及び携帯電話システムでは、ユーザからのデータの取得要求や格納要求があると、仮想ユーザインターフェイス部からの指示により処理装置が自動的にネットワークを経由して外部記憶装置へアクセスし、指定されたデータを格納したり所望のデータを取得して表示するため、実際はネットワークを通して外部記憶装置にアクセスしていても、ユーザには外部への接続を感じさせずに携帯電話機内部の記憶装置を扱っているように見せることができる。したがって、ユーザの手間が減って携帯電話機により外部記憶装置を容易に利用することができる。特に、携帯電話機には搭載できない大容量の外部記憶装置を利用できるため、ユーザは携帯電話機の記憶装置の容量を気にすることなく大量のデータを扱うことができる。
【００１３】
また、ユーザのデータを携帯電話機の内部の記憶装置ではなく外部記憶装置に格納し、携帯電話機に、携帯電話機の機種に依存しない共通の仮想ユーザインターフェイス部を備えているため、ユーザは他の携帯電話機からも同じ外部記憶装置のデータを参照できる。したがって、ユーザが新しい携帯電話機に交換する場合でも、新しい携帯電話機に前機種と同様の仮想ユーザインターフェイス部を用意し、該仮想ユーザインターフェイス部を用いて外部記憶装置へアクセスすれば、交換前と同様に外部記憶装置内のデータを扱うことができる。よって、携帯電話機の機種交換時のデータ移行作業が不要になり、メモリダイヤル等のデータを手作業で移行する必要もない。
【発明を実施するための最良の形態】
【００１４】
次に本発明について図面を参照して説明する。
【００１５】
図１は本発明の携帯電話システムの一構成例を示すブロック図であり、図２は本発明の携帯電話システムの処理手順を示すフローチャートである。
【００１６】
本発明では、ユーザからのデータ取得要求やデータ格納要求がある毎に携帯電話機から外部記憶装置にネットワークを経由して自動的にアクセスし、ユーザにはあたかも携帯電話機内の記憶装置に格納されたデータを処理しているように見せる仮想的なユーザインターフェイス部を備えた構成を提案する。
【００１７】
図１に示すように、本発明の携帯電話システムは、携帯電話機１００と、携帯電話機１００から送信されたデータ（以下、ユーザデータと称す）を蓄積する外部記憶装置１２０と、外部記憶装置１２０に対するユーザデータの書き込み／読み出しを制御する外部処理装置１１０とを有し、携帯電話機１００と外部処理装置１１０とがネットワーク１３０を介して互いにデータ通信可能に接続される構成である。
【００１８】
外部処理装置１１０はワークステーション・サーバ等の情報処理装置であり、外部記憶装置１２０は外部処理装置１１０によってデータの書き込み／読み出しが制御される磁気ディスク装置や光ディスク装置等の大容量の記憶装置である。外部処理装置１１０及び外部記憶装置１２０は、例えばインターネットサービスプロバイダ等のサービス提供会社、あるいはそれらの会社に運営を委託された第三者によって管理される。
【００１９】
外部処理装置１１０は、ネットワーク１３０を介して携帯電話機１００との間でユーザデータの送受信を行い、携帯電話機１００からのデータ格納要求にしたがって送信されたユーザデータを外部記憶装置１２０に格納する。また、携帯電話機１００からのデータ取得要求にしたがって外部記憶装置１２０からユーザが所望するユーザデータを読み出し、ネットワーク１３０を介して要求元の携帯電話機１００へ返送する。
【００２０】
なお、図１では、携帯電話機１００がネットワーク１３０と直接接続される様子を示しているが、携帯電話機１００は不図示の無線基地局を介してネットワーク１３０と接続される。その場合、携帯電話機１００は、後述する処理装置が備える通信手段を用いて無線基地局と無線通信を行うことでネットワークへのアクセスが可能になる。また、図１では携帯電話機１００及び外部処理装置１１０がそれぞれ１台だけネットワーク１３０に接続される構成を示しているが、実際には多数の携帯電話機１００及び外部処理装置１１０がネットワーク１３０に接続される。
【００２１】
図１に示すように、本発明の携帯電話機１００は、機器固有のユーザインターフェイスである固有ユーザインターフェイス部１０１と、符号化／復号処理や呼接続処理等の電話機としての処理を実行する、通信手段を備えた処理装置１０２と、携帯電話機１００内の処理結果を表示するためのディスプレイ１０４と、ユーザの要求やデータを入力するための入力装置１０４と、入力装置１０４から入力されたユーザからの要求にしたがって、ネットワーク１３０を通した外部記憶装置１２０に対するデータの書き込み／読み出し処理を処理装置１０２に実行させ、その処理結果をディスプレイ１０４に表示する、携帯電話機の機種に依存しない共通のユーザインターフェイスである仮想ユーザインターフェイス部１０３とを有する構成である。
【００２２】
処理装置１０２は、例えばプログラムにしたがって処理を実行するＣＰＵ、ＣＰＵの処理で必要なデータやプログラムを一時的に保持する記憶装置、ユーザデータ等が格納される記憶装置、ＣＰＵで実行するプログラムが格納される記録媒体、及び不図示の無線基地局と無線通信を行うための通信手段を有する構成である。
【００２３】
処理装置１０２は、入力装置１０５を通して入力されたユーザのデータ格納要求やデータ取得要求にしたがって外部処理装置１１０と接続し、外部処理装置１１０との間でユーザデータを送受信する。その場合、処理装置１０２の処理結果は仮想ユーザインターフェイス部１０３に転送される。
【００２４】
固有ユーザインターフェイス部１０１は、例えば、処理装置１０２の記録媒体に予め格納されたプログラムによるＣＰＵの処理で実現される、機器の機能に依存した固有のユーザインターフェイスである。
【００２５】
一方、仮想ユーザインターフェイス部１０３は、携帯電話機１００の機種に依存しない共通のプログラム言語で作成されたプログラムによるＣＰＵの処理で実現される、仮想的なユーザインターフェイスである。仮想ユーザインターフェイス部１０３は、処理装置１０２及び固有ユーザインターフェイス部１０１が備える機能のうち、外部処理装置１１０に対するユーザデータの書き込み／読み出し処理で必要な機能を利用して入力装置１０５から入力された外部処理装置１１０に対するユーザからの要求を処理装置１０２へ通知すると共に、処理装置１０２の処理結果を受け取ってディスプレイ１０４に表示させる。
【００２６】
近年の携帯電話機は、プログラムの作成が可能な開発環境が用意されているため、仮想ユーザインターフェイス部１０３を機種に依存しない共通のプログラミング言語（例えば、Java）を用いたプログラムで実現することができる。したがって、携帯電話機１００に予め内蔵する固有ユーザインターフェイス部１０１の機能に限定されない、各ユーザの使いやすいユーザインターフェイスを選択することも可能になる。
【００２７】
なお、固有ユーザインターフェイス部１０１及び仮想ユーザインターフェイス部１０３は、必ずしもプログラムによるＣＰＵの処理で実現される必要はなく、論理回路やＤＳＰ等によって実現されてもよい。その場合、仮想ユーザインターフェイス部１０３と処理装置１０２とは、携帯電話機１００の機種に依存しない共通の信号伝送規格等によって接続されることが望ましい。
【００２８】
次に、図１を参照しつつ図２を用いて本発明の携帯電話システムの動作について説明する。
【００２９】
まず、マルチメディアデータ等を利用するために、ユーザが入力装置１０５の特定ボタンを押下すると、仮想ユーザインターフェイス部１０３が固有ユーザインターフェイス部１１０により起動される（ステップＡ１）。このとき仮想ユーザインターフェイス部１０３はディスプレイ１０４に入力待ち画面を表示する。入力待ち画面は、例えばデータ格納要求またはデータ取得要求（以下、まとめてユーザ要求と称す）をユーザに選択させると共に、格納対象あるいは取得対象のユーザデータを指定させるための指示画面である。
【００３０】
続いて、ユーザが入力装置１０５を用いてデータ要求を入力すると、該ユーザ要求は仮想ユーザインターフェイス部１０３で検知され（ステップＡ２）、仮想ユーザインターフェイス部１０３から処理装置１０２へ転送される（ステップＡ３）。ユーザ要求がデータ格納要求である場合、仮想ユーザインターフェイス部１０３は、入力待ち画面で指示された格納対象のユーザデータも併せて処理装置１０２へ転送する。
【００３１】
処理装置１０２は、仮想ユーザインターフェイス部１０３からユーザ要求を受け取ると、通信手段を用いて無線基地局との無線通信を開始し、ネットワーク１３０を通して外部処理装置１１０に接続し、ユーザ要求を送信する（ステップＡ４）。このとき、ユーザ要求がデータ格納要求である場合、処理装置１０２は、格納対象のユーザデータも併せて外部処理装置１１０へ送信する。なお、仮想ユーザインターフェイス部１０３は、ネットワークに対する接続状態をディスプレイ１０４に表示する必要はない。
【００３２】
外部処理装置１１０は、携帯電話機１００からユーザ要求を受信すると、データ格納要求の場合は送信されたユーザデータを外部記憶装置１２０へ格納し、データ取得要求の場合は外部記憶装置１２０から指定されたユーザデータを取り出し、外部記憶装置１２０から処理完了通知を取得する（ステップＡ５）。そして、処理完了通知をネットワーク１３０を通して要求元の携帯電話機１００の処理装置１０２へ返送する（ステップＡ６）。なお、ユーザ要求がデータ取得要求であった場合は、処理完了通知と共に取得したユーザデータを要求元の携帯電話機１００の処理装置１０２へ送信する。
【００３３】
処理装置１０２は、外部処理装置１１０から処理完了通知（データ取得要求を送信した場合はユーザデータを含む）を受信すると、仮想ユーザインターフェイス部１０３に該処理完了通知を転送する（ステップＡ７）。仮想インターフェイス１００は、受け取った処理完了通知をディスプレイ１０４に表示する共に、ユーザ要求がデータ取得要求であった場合は、受信したユーザデータを必要に応じて加工し、ディスプレイ１０４に表示する（ステップＡ８）。
【００３４】
本発明の携帯電話システム及び携帯電話機によれば、ユーザからのデータの取得要求や格納要求があると、仮想ユーザインターフェイス部１０３からの指示により処理装置１０２が自動的にネットワーク１３０を経由して外部記憶装置１２０へアクセスし、指定されたデータを格納したり所望のデータを取得して表示するため、実際はネットワーク１３０を通して外部記憶装置１２０にアクセスしていても、ユーザには外部への接続を感じさせずに携帯電話機１００内部の記憶装置を扱っているように見せることができる。したがって、ユーザの手間が減って携帯電話機１００により外部記憶装置１２０を容易に利用することができる。特に、携帯電話機１００には搭載できない大容量の外部記憶装置を利用できるため、ユーザは携帯電話機１００の記憶装置の容量を気にすることなく大量のデータを扱うことができる。
【００３５】
また、ユーザデータを携帯電話機１００の内部の記憶装置ではなく外部記憶装置１２０に格納し、携帯電話機１００に、携帯電話機の機種に依存しない共通の仮想ユーザインターフェイス部を備えているため、ユーザは他の携帯電話機からも同じ外部記憶装置のデータを参照できる。したがって、ユーザが新しい携帯電話機１００に交換する場合でも、新しい携帯電話機１００に前機種と同様の仮想ユーザインターフェイス部１０３を用意し、該仮想ユーザインターフェイス部を用いて外部記憶装置へアクセスすれば、交換前と同様に外部記憶装置１２０内のユーザデータを扱うことができる。よって、携帯電話機１００の機種交換時のデータ移行作業が不要になり、メモリダイヤル等のデータを手作業で移行する必要もない。
【００３６】
本発明の携帯電話システムによれば、画像、動画、音楽等の大きなマルチメディアデータを大量に保存するようなシステムを構築できる。例えば、携帯電話機１００にとって容量が大きい音声の着信音を大量の音楽データの中から選択したり、携帯電話機１００のディスプレイ１０４に表示する背景画面を大量の画像データから選択したり、デジタルカメラやビデオカメラで撮影した静止画データや動画データを、記憶装置の容量を考慮することなく保存できる等、大容量記憶装置の特長を生かした用途に適用できる。
【図面の簡単な説明】
【００３７】
【図１】本発明の携帯電話システムの一構成例を示すブロック図である。
【図２】本発明の携帯電話システムの処理手順を示すフローチャートである。
【符号の説明】
【００３８】
１００    携帯電話機
１０１    固有ユーザインターフェイス部
１０２    処理装置
１０３    仮想ユーザインターフェイス部
１０４    ディスプレイ
１０５    入力装置
１１０    外部処理装置
１２０    外部記憶装置
１３０    ネットワーク
【図１】
2005322973.tif 000003
【図２】
2005322973.tif 000004